(57)【要約】【課題】ファン装置から空気調和機のケーシングに伝わる振動を低減させる効果を向上させることができる空気調和機のファン室を提供する。【解決手段】室内に、室内空間を吸込側空間２９と吐出側空間３０とに仕切るベースプレート３１と、吸込側空間２９の空気を吸込んで吐出側空間３０に吐出するファン装置とが設けられ、ファン装置がベースプレート３１に設けられ、ベースプレート３１が緩衝手段を介して室内に揺動自在に支持され、ベースプレート３１の外周縁に、ベースプレート３１と室内壁面４１との隙間４２をシールするシール手段６３が取付けられ、シール手段６３は、ベースプレート３１に取付けられる取付部６４と、リップ部６５とを有し、リップ部６５の先端部６５ａが室内壁面４１に摺接し、リップ部６５は先端部６５ａが基端部６５ｂよりも吐出側空間３０内に入り込む方向へ傾斜している。【選択図】図４
2010151400.tif 000002
【特許請求の範囲】
【請求項１】
吸込口と、吐出口と、吸込口から吐出口に至る通風路とを有し、
室内に、室内空間を吸込口のある吸込側空間と吐出口のある吐出側空間とに仕切る仕切体と、吸込側空間の空気を吸い込んで吐出側空間に吐出するファン装置とが設けられ、
ファン装置が仕切体に設けられた空気調和機のファン室であって、
仕切体は緩衝手段を介して室内に揺動自在に支持され、
仕切体の外周縁と室内壁面とのいずれか一方に、仕切体と室内壁面との隙間をシールするシール手段が取付けられ、
シール手段は、仕切体の外周縁と室内壁面とのいずれか一方に取付けられる取付部と、リップ部とを有し、
リップ部の先端部が仕切体の外周縁と室内壁面とのいずれか他方に摺接するとともに、リップ部の基端部が取付部に設けられ、
リップ部は室内壁面側の端部が仕切体の外周縁側の端部よりも吐出側空間内に入り込む方向へ傾斜していることを特徴とする空気調和機のファン室。
【請求項２】
仕切体は緩衝手段を介して所定方向に揺動自在に支持され、
シール手段は仕切体の外周縁に取付けられ、
取付部は仕切体の外周縁を所定方向において両側から挟んだ状態で取付けられることを特徴とする請求項１記載の空気調和機のファン室。
【請求項３】
取付部は、仕切体と室内壁面との間に位置する取付片と、取付片の両端部に設けられ且つ仕切体の外周縁を挟む一対の挟持片とを有し、
挟持片はそれぞれ、取付片に連設される基端部と、取付け状態において仕切体に当接する当接部とを有し、
シール手段が仕切体に取付けられていない状態において、一対の挟持片の当接部間の間隔が仕切体の外周縁の高さよりも短く設定され、且つ、一対の挟持片の基端部間の間隔が仕切体の外周縁の高さよりも長く設定されていることを特徴とする請求項２記載の空気調和機のファン室。
【請求項４】
少なくともいずれか一方の挟持片は取付片に対して傾斜している傾斜部を有し、
傾斜部の先端が当接部をなしていることを特徴とする請求項３記載の空気調和機のファン室。
【請求項５】
他方の挟持片に、取付片に相対向する離脱防止片が設けられ、
取付片と離脱防止片との間に差込部が形成され、
仕切体の外周縁は差込部に差し込まれる差込片を有することを特徴とする請求項３又は請求項４記載の空気調和機のファン室。
【請求項６】
リップ部は円弧状に湾曲した板状の部材であることを特徴とする請求項１から請求項５のいずれか１項に記載の空気調和機のファン室。
【発明の詳細な説明】
【技術分野】
【０００１】
本発明は空気調和機に設けられるファン室に関する。
【背景技術】
【０００２】
従来、この種の空気調和機としては、例えば、図１２に示すように、空気調和機９のケーシング１０内に、還気用のファン室１１と、給気用のファン室１２と、外気室１３と、給気室１４とを備えたものがある。還気用のファン室１１の天井部には、還気を吸い込む還気口１６が形成されている。また、還気用のファン室１１と外気室１３とを仕切る仕切壁１７には、還気口１６からファン室１１内へ流入した還気５２を外気室１３に吐出する吐出口１８が形成されている。
【０００３】
外気室１３と給気室１４とは開口部１９を介して連通している。また、給気室１４と給気用のファン室１２とを仕切る仕切壁２０には、給気室１４内の空気を給気用のファン室１２内に吸い込む吸込口２１が形成されている。給気用のファン室１２の天井部には、吸込口２１から給気用のファン室１２内に吸い込まれた空気を給気５３として吐出する給気口２２が形成されている。
【０００４】
ケーシング１０内には、還気用のファン室１１の還気口１６と給気用のファン室１２の給気口２２とに連通する通風路２３が形成されている。還気口１６と給気口２２はそれぞれ外部の空気調和対象系に接続されている。
【０００５】
外気室１３内には、プレフィルターと中性能フィルターからなるフィルターユニット２４が設けられている。給気室１４内には、冷却コイル及び加熱コイルからなる熱交換器２５と、加湿器２６とが設けられている。尚、外気室１３と給気室１４とは、フィルターユニット２４と熱交換器２５と加湿器２６とを介して連通している。
【０００６】
次に、給気用のファン室１２の構成を以下に説明する。
給気用のファン室１２内には、室内空間を下位の吸込側空間２９と上位の吐出側空間３０とに仕切るベースプレート３１と、吸込側空間２９の空気を吸い込んで吐出側空間３０に吐出する給気用のファン装置２８とが設けられている。
【０００７】
図１３（ｂ），図１４に示すように、ファン装置２８は、片吸込遠心式プラグファンからなるファン本体３２と、ファン本体３２を回転駆動するモータ等からなる駆動装置３３とを有している。ファン装置２８は、複数の支柱３４を介してベースプレート３１の上側に取付けられている。
【０００８】
ベースプレート３１は、平面視において四角形をした本体板部３５と、本体板部３５の外周縁に形成され且つ上向きに立ち上がった縁板部３６とを有している。本体板部３５には、吸込側空間２９内とファン本体３２の吸入部とに連通する取入口４７が形成されている。また、ベースプレート３１は、複数の緩衝手段３７を介して、ファン室１２内に設置された取付架台３８に、上下方向Ａに揺動自在に取付けられている。尚、各緩衝手段３７は、ベースプレート３１と取付架台３８との間に設けられたコイルスプリング３９と、ベースプレート３１と取付架台３８とに挿通された連結ボルト４０とを有している。
【０００９】
図１３〜図１６に示すように、ベースプレート３１の外周縁には、ベースプレート３１とファン室１２内の壁面４１との隙間４２をシールするシール手段４３が取付けられている。シール手段４３は、エラストマー又は樹脂からなり、ベースプレート３１の縁板部３６に取付けられる取付部４４と、シール部４５とを有している。取付部４４は、逆Ｕ形状に形成されており、内部に、下端が開放された差込部４６を有している。シール部４５は、内部に中空部４９を有する円筒状の部材であり、取付部４４に一体に設けられている。
【００１０】
尚、図１４に示すように、シール手段４３は平面視において一直線状であり、四本のシール手段４３がそれぞれベースプレート３１の外周縁の各辺に一本ずつ取付けられている。これら四本のシール手段４３は、一本の長いシール手段４３を四本に短く切断することで、得られる。
【００１１】
上記構成によると、ベースプレート３１の縁板部３６を下方からシール手段４３の取付部４４の差込部４６に差し込むことで、図１５（ｂ）に示すように、シール手段４３がベースプレート３１に取付けられる。また、図１５（ａ）に示すように、シール部４５が縁板部３６とファン室１２内の壁面４１との間に挟まれて押し潰されることにより、ベースプレート３１と壁面４１との隙間４２がシールされる。
【００１２】
尚、図１２，図１３（ａ）に示すように、還気用のファン室１１の構成は上述した給気用のファン室１２（図１３（ｂ）参照）の構成と同様であり、還気用のファン室１１内には、室内空間を上位の吸込側空間２９と下位の吐出側空間３０とに仕切るベースプレート３１と、吸込側空間２９の空気を吸い込んで吐出側空間３０に吐出する還気用のファン装置４８とが設けられている。
【００１３】
還気用のファン装置４８は、給気用のファン装置２８に対して、上下反転姿勢でベースプレート３１の下側に取付けられている。
これによると、給気用のファン室１２と同様に、還気用のファン室１１においても、ベースプレート３１と壁面４１との隙間４２がシール手段４３によってシールされる。
【００１４】
上記のような空気調和機９において、各ファン装置２８，４８の駆動装置３３を駆動してファン本体３２を回転駆動することにより、還気５２は、還気口１６から還気用のファン室１１の吸込側空間２９内に吸い込まれ、吸込側空間２９内から取入口４７とファン本体３２とを通って吐出側空間３０内に吐出され、吐出側空間３０内から隣の外気室１３内に流れ込み、フィルターユニット２４によってごみ等の異物が除去された後、給気室１４内へ流入し、熱交換器２５によって加温又は冷却されるとともに加湿器２６によって加湿された後、給気室１４内から吸込口２１を通って給気用のファン室１２の吸込側空間２９内に吸い込まれ、吸込側空間２９内から取入口４７とファン本体３２とを通って吐出側空間３０内に吐出され、給気５３として、給気口２２から外部へ供給される。
【００１５】
この際、各ファン装置２８，４８からベースプレート３１に伝わる振動の上下方向成分は、緩衝手段３７のコイルスプリング３９が伸縮してベースプレート３１が上下方向に揺動することにより、緩衝される。また、上記振動の水平方向成分はシール手段４３によって緩衝される。これにより、各ファン装置２８，４８からベースプレート３１を介して空気調和機９のケーシング１０に伝わる振動を低減することができる。
【００１６】
また、各ファン装置２８，４８が駆動している際、吐出側空間３０内の圧力は吸込側空間２９内の圧力に比べて高圧になる。ここで、図１５（ａ），図１６（ａ）に示すように、各ベースプレート３１と各ファン室１１，１２内の壁面４１との隙間４２はシール手段４３によってシールされているため、上記隙間４２の箇所において気密性が保たれる。これにより、吐出側空間３０内の圧力が上記隙間４２から吸込側空間２９内へ抜けてしまうのを防止することができ、確実に、吐出側空間３０内の圧力が吸込側空間２９内の圧力よりも高圧に保たれる。このため、還気用のファン室１１内の吐出側空間３０に吐出された空気は、確実に、下流側の外気室１３に供給される。同様に、給気用のファン室１２内の吐出側空間３０に吐出された空気は、給気５３として、確実に、給気口２２から外部の空気調和対象系へ供給される。
【００１７】
尚、上記のようなファン室１１，１２を有する空気調和機９は例えば下記特許文献１に記載されている。
【特許文献１】特開２００７−２７１１４１
【発明の開示】
【発明が解決しようとする課題】
【００１８】
しかしながら上記の従来形式では、図１５（ａ）に示すように、シール手段４３のシール部４５がベースプレート３１の縁板部３６とファン室１１，１２内の壁面４１との間に挟まれて押し潰されているとき、シール部４５は壁面４１に広範囲で面接触している。これにより、シール部４５が壁面４１に対して摺動し難くなり、ベースプレート３１の上下方向Ａの揺動が阻害されてしまう。このため、各ファン装置２８，４８からベースプレート３１を介して空気調和機９のケーシング１０に伝わる振動を低減させる効果を向上させることが困難であるといった問題がある。
【００１９】
また、ベースプレート３１の縁板部３６を下方からシール手段４３の差込部４６に差し込むことで、図１５（ｂ）に示すように、シール手段４３がベースプレート３１に取付けられるため、各ファン装置２８，４８の振動によってベースプレート３１が上下方向Ａに揺動した際、縁板部３６が差込部４６から下方へ脱抜する虞があり、シール手段４３がベースプレート３１から不用意に離脱してしまうのを確実に防止することは困難であるといった問題がある。
【００２０】
また、上記シール手段４３の離脱防止対策として、図１５に示すように、シール手段４３の取付部４４にばね鋼からなる芯材５０を内蔵したものが考えられる。これによると、芯材５０の弾性力によって取付部４４が縁板部３６をきつく挟み付けるため、シール手段４３がベースプレート３１から離脱してしまうのを防止することができる。
【００２１】
しかしながら上記芯材５０を内蔵したシール手段４３では、ベースプレート３１の縁板部３６をシール手段４３の差込部４６に差し込み難くなり、シール手段４３の取付けに手間がかかるといった問題がある。また、芯材５０を内蔵したため、一本の長いシール手段４３を複数本に短く切断する際、図１６（ｂ）に示すように、シール手段４３の長手方向に対して直交する角度で切断しており、切断されたシール手段４３の端面４３ａ（切断面）はシール手段４３の長手方向に対して直交している。したがって、図１６（ａ）に示すように、ベースプレート３１の四隅部Ｆにおいて、シール手段４３の端部のシール部４５が正規の方向から各ファン室１１，１２内の壁面４１に当接しない領域５１が発生し、この領域５１に隙間が発生して、この領域５１内において気密性が保てないといった問題がある。
【００２２】
本発明は、ファン装置から空気調和機のケーシングに伝わる振動を低減させる効果を向上させることができ、また、シール手段が仕切体から不用意に離脱してしまうのを確実に防止することができ、また、シール手段の取付けが容易であり、仕切体の隅部においてもシール手段により気密性を保つことが可能な空気調和機のファン室を提供することを目的とする。
【課題を解決するための手段】
【００２３】
上記目的を達成するために、本第１発明では、吸込口と、吐出口と、吸込口から吐出口に至る通風路とを有し、
室内に、室内空間を吸込口のある吸込側空間と吐出口のある吐出側空間とに仕切る仕切体と、吸込側空間の空気を吸い込んで吐出側空間に吐出するファン装置とが設けられ、
ファン装置が仕切体に設けられた空気調和機のファン室であって、
仕切体は緩衝手段を介して室内に揺動自在に支持され、
仕切体の外周縁と室内壁面とのいずれか一方に、仕切体と室内壁面との隙間をシールするシール手段が取付けられ、
シール手段は、仕切体の外周縁と室内壁面とのいずれか一方に取付けられる取付部と、リップ部とを有し、
リップ部の先端部が仕切体の外周縁と室内壁面とのいずれか他方に摺接するとともに、リップ部の基端部が取付部に設けられ、
リップ部は室内壁面側の端部が仕切体の外周縁側の端部よりも吐出側空間内に入り込む方向へ傾斜しているものである。
【００２４】
これによると、例えば、シール手段が仕切体の外周縁に取付けられている場合、リップ部の先端部が室内壁面に摺接するため、仕切体と室内壁面との隙間がシール手段によってシールされ、上記隙間の箇所において気密性が保たれる。
【００２５】
ファン装置が駆動して吸込側空間の空気を吸い込んで吐出側空間に吐出することにより、空気が、吸込口からファン室内に流入し、通風路を通って吐出口から流出する。この際、ファン装置から仕切体に伝わる振動は仕切体が揺動することによって緩衝されるため、ファン装置から仕切体を介して空気調和機のケーシングに伝わる振動が低減される。
【００２６】
このとき、シール手段のリップ部の先端部が室内壁面に摺接しているため、シール手段が室内壁面に対してほぼ線接触することになり、シール手段が室内壁面に接触する接触面積が従来のシール手段に比べて大幅に減少する。これにより、シール手段が室内壁面に対して摺動し易くなり、仕切体の揺動が阻害されるのを防止することができ、したがって、ファン装置から空気調和機のケーシングに伝わる振動を低減させる効果が向上する。
【００２７】
また、吐出側空間内の圧力は吸込側空間内の圧力に比べて高くなり、リップ部は室内壁面側の端部が仕切体の外周縁側の端部よりも吐出側空間内に入り込む方向へ傾斜しているため、リップ部は吐出側空間内の圧力によって吸込側空間内に向って押される。これにより、リップ部の先端部が室内壁面に強く押し付けられ、シール手段によるシール性能が増大する。
【００２８】
また、シール手段が室内壁面に取付けられている場合も、上記と同様の作用・効果が得られる。
本第２発明における空気調和機のファン室は、リップ部は円弧状に湾曲した板状の部材である。
【００２９】
これによると、シール手段が室内壁面に対してほぼ線接触することになる。
本第３発明における空気調和機のファン室は、取付部は、仕切体と室内壁面との間に位置する取付片と、取付片の両端部に設けられ且つ仕切体の外周縁を挟む一対の挟持片とを有し、
挟持片はそれぞれ、取付片に連設される基端部と、取付け状態において仕切体に当接する当接部とを有し、
シール手段が仕切体に取付けられていない状態において、一対の挟持片の当接部間の間隔が仕切体の外周縁の高さよりも短く設定され、且つ、一対の挟持片の基端部間の間隔が仕切体の外周縁の高さよりも長く設定されているものである。
【００３０】
これによると、一対の挟持片で仕切体の外周縁を所定方向において両側から挟むと、一対の挟持片の当接部間が所定方向に押し広げられるとともに、一対の挟持片の少なくとも一方の挟持片と取付片と仕切体との間に空隙部を有した状態で、シール手段が仕切体に取付けられる。
【００３１】
このため、一対の挟持片で仕切体の外周縁を強く挟むことができ、これにより、シール手段を容易且つ強固に仕切体に取付けることができる。
また、ファン装置の振動によって仕切体が揺動したとき、空隙部を有した一方の挟持片が仕切体の揺動方向へ撓むことによって、上記ファン装置の振動が吸収される。このため、ファン装置から仕切体を介して空気調和機のケーシングに伝わる振動がさらに低減される。
【００３２】
本第４発明における空気調和機のファン室は、少なくともいずれか一方の挟持片は取付片に対して傾斜している傾斜部を有し、
傾斜部の先端が当接部をなしているものである。
【００３３】
これによると、一対の挟持片で仕切体を強く挟み付けることができるとともに、ファン装置の振動によって仕切体が揺動したとき、空隙部を有した一方の挟持片が自身の弾性や折曲部の拡がりにより撓むことによって上記振動が吸収される。このため、ファン装置から仕切体を介して空気調和機のケーシングに伝わる振動がさらに低減される。
【００３４】
本第５発明における空気調和機のファン室は、他方の挟持片に、取付片に相対向する離脱防止片が設けられ、
取付片と離脱防止片との間に差込部が形成され、
仕切体の外周縁は差込部に差し込まれる差込片を有するものである。
【００３５】
これによると、仕切体の差込片をシール手段の差込部に差し込むことにより、シール手段が仕切体の外周縁から室内壁面側へ不用意に外れてしまうのを防止することができる。
本第６発明における空気調和機のファン室は、リップ部は円弧状に湾曲した板状の部材である。
【００３６】
これによると、シール手段が室内壁面に対してほぼ線接触することになる。
【発明の効果】
【００３７】
以上のように、本発明によると、ファン装置から空気調和機のケーシングに伝わる振動を低減させる効果が向上し、また、シール手段によるシール性能が増大する。
さらに、シール手段が仕切体から不用意に離脱するのを確実に防止することができ、また、シール手段の取付けが容易であり、仕切体の隅部においてもシール手段により気密性を保つことが可能となる。
【発明を実施するための最良の形態】
【００３８】
以下、本発明における第１の実施の形態を図面を参照して説明する。尚、先述した従来のものと同じ部材については、同一の符号を付記して、詳細な説明を省略する。
図１に示すように、給気用のファン室６２は、隣接する給気室１４内の空気を吸い込む吸込口２１と、ファン室６２内に吸い込まれた空気を給気５３として吐出する給気口２２（吐出口の一例）と、吸込口２１から給気口２２に至る通風路２３とを有している。
【００３９】
図２，図３に示すように、給気用のファン室６２内には、ベースプレート３１と給気用のファン装置２８とが設けられている。ベースプレート３１は、室内空間を吸込口２１のある下位の吸込側空間２９と給気口２２のある上位の吐出側空間３０とに仕切る仕切体の一例である。給気用のファン装置２８は吸込側空間２９の空気を吸い込んで吐出側空間３０に吐出するものである。
【００４０】
図４に示すように、ベースプレート３１は、本体板部３５と、本体板部３５の外周縁に形成され且つ上向きに立ち上がった縁板部３６（差込片の一例）とを有している。また、図２，図３に示すように、ベースプレート３１は、複数の緩衝手段３７を介して、ファン室６２内の取付架台３８に、上下方向Ａ（所定方向の一例）に揺動自在に支持されている。
【００４１】
図４，図５に示すように、ベースプレート３１の外周縁には、ベースプレート３１とファン室６２内の壁面４１との隙間４２をシールするシール手段６３が取付けられている。シール手段６３は、エラストマー又は樹脂からなり、ベースプレート３１の縁板部３６に取付けられる取付部６４と、薄い板状のリップ部６５とを有している。
【００４２】
取付部６４は、ベースプレート３１と壁面４１との間に位置し且つ縁板部３６の外側面に沿った取付片６６と、取付片６６の上下両端部に設けられた上下一対の挟持片６７，６８と、上部の挟持片６７の先端から下向きに設けられて取付片６６に相対向する離脱防止片６９とを有している。シール手段６３は、上部および下部の挟持片６７，６８がベースプレート３１の縁板部３６を上下方向Ａにおいて両側から挟み付けることにより、ベースプレート３１の外周縁に取付けられる。
【００４３】
下部の挟持片６８（一方の挟持片の一例）は、取付片６６から折曲部８０を介して折り曲げられ、ベースプレート３１の本体板部３５に対して斜め下方向から圧接するように傾斜しており、自身の弾性によって、先端部（仕切体に当接する当接部の一例）が上部の挟持片６７（他方の挟持片の一例）へ接近する方向（すなわち上方向）に付勢されている。尚、図４に示す下部の挟持片６８は、折曲部８０から先端部に至る範囲で、取付片６６に対して傾斜している傾斜部を形成している。
【００４４】
図６に示すように、シール手段６３がベースプレート３１に取付けられていない未装着の状態では、取付片６６と下部の挟持片６８との間の角度θ１が鋭角（例えば４５°〜６０°）に設定されており、取付片６６と上部の挟持片６７との間の角度θ２がほぼ直角に設定されている。また、下部の挟持片６８の先端部（仕切体に当接する当接部の一例）と上部の挟持片６７（仕切体に当接する当接部の一例）との上下間隔Ｂはベースプレート３１の縁板部３６の高さＨよりも短く設定されている。また、取付片６６に連設される上部の挟持片６７の基端部と下部の挟持片６８の基端部との間隔Ｗはベースプレート３１の縁板部３６の高さＨよりも長く設定されている。
【００４５】
図４（ａ）に示すように、リップ部６５の先端部６５ａ（すなわち壁面４１側の端部）はファン室６２内の壁面４１に摺接し、基端部６５ｂ（すなわちベースプレート３１の外周縁側の端部）は取付部６４の取付片６６に設けられている。リップ部６５は、円弧状であり、先端部６５ａが壁面４１に摺接している状態では、ほぼ１／４の円を描くように湾曲している。また、リップ部６５は、先端部６５ａが基端部６５ｂよりも吐出側空間３０内に入り込む方向（すなわち斜め上方向）へ傾斜している。また、図６に示すように、リップ部６５の先端部６５ａと基端部６５ｂとを通る直線Ｌと取付片６６との間の角度θ３は、４５°以上、好ましくは４５°〜６０°に設定されている。
【００４６】
図４（ａ）に示すように、リップ部６５の先端部６５ａは、壁面４１に摺接している状態で、壁面４１に対してほぼ平行に湾曲する。
また、図４（ｂ）に示すように、シール手段６３がベースプレート３１に取付けられ且つリップ部６５が壁面４１に摺接せずに壁面４１から離間している状態において、先端部６５ａの位置と基端部６５ｂの位置とは、共に、縁板部３６の高さＨの範囲内に収まるように設定されている。さらに、リップ部６５の水平方向（すなわち壁面４１に直交する方向）の長さをＣとし、隙間４２の幅をＤとすると、リップ部６５の長さＣは、隙間４２の幅Ｄよりも大きく、隙間４２の幅Ｄの１．４〜２．０倍の大きさになるように設定されている。
【００４７】
尚、リップ部６５の長さＣを隙間４２の幅Ｄの１．４倍にした場合、図４（ａ），図６に示すように、リップ部６５の先端部６５ａが壁面４１に摺接している状態で、上記角度θ３がほぼ４５°となり、リップ部６５がほぼ１／４の円を描くように湾曲する。また、リップ部６５の長さＣを隙間４２の幅Ｄの２．０倍にした場合、上記角度θ３がほぼ６０°となる。また、リップ部６５の長さＣを隙間４２の幅Ｄの２．０倍より大きくしてもシール性能等の効果は同じになるため、材料が無駄になる。
【００４８】
取付部６４は、ベースプレート３１に取付けられた状態で、ベースプレート３１と取付片６６と下部の挟持片６８とで囲まれた空隙部７２を形成する。
取付片６６と離脱防止片６９との間には、下部が開放された差込部７０が形成されている。ベースプレート３１の縁板部３６は差込部７０に差し込まれており、図６に示すように、差込部７０の幅Ｅは縁板部３６の厚さＴよりも若干大きく設定されている。
【００４９】
尚、図３，図５に示すように、シール手段６３は平面視において一直線状であり、四本のシール手段６３がそれぞれベースプレート３１の各辺の縁板部３６に一本ずつ取付けられている。これら四本のシール手段６３は、一本の長いシール手段６３を四本に短く切断することで、得られる。切断された各シール手段６３の端面７１（切断面）は、シール手段６３の長手方向に対して、４５°の傾斜角度θ４で傾斜している。
【００５０】
尚、図１に示すように、還気用のファン室６１の構成は上述した給気用のファン室６２の構成と同様であり、還気用のファン室６１内には、室内空間を上位の吸込側空間２９と下位の吐出側空間３０とに仕切るベースプレート３１と、吸込側空間２９の空気を吸い込んで吐出側空間３０に吐出する還気用のファン装置４８とが設けられている。還気用のファン装置４８は、給気用のファン装置２８に対して、上下反転姿勢でベースプレート３１の下側に取付けられている。また、給気用のファン室６２と同様に、還気用のファン室６１においても、ベースプレート３１と壁面４１との隙間４２がシール手段６３によってシールされる。
【００５１】
以下、上記構成における作用を説明する。
図２に示すように、給気用のファン装置２８が駆動しているとき、ファン装置２８からベースプレート３１に伝わる振動の上下方向成分は、緩衝手段３７のコイルスプリング３９が伸縮してベースプレート３１が上下方向Ａに揺動することにより、緩衝される。この際、図４（ａ）に示すように、シール手段６３のリップ部６５の先端部６５ａが壁面４１に摺接して上下移動するため、隙間４２がシール手段６３によってシールされ、気密性が保たれる。
【００５２】
また、リップ部６５は円弧状に湾曲した薄い板状の部材であるため、シール手段６３は壁面４１に対してほぼ線接触することになり、シール手段６３が壁面４１に接触する接触面積が従来のシール手段に比べて大幅に減少する。これにより、シール手段６３が壁面４１に対して摺動し易くなり、ベースプレート３１の上下方向Ａの揺動が阻害されるのを防止することができ、したがって、ファン装置２８から空気調和機９のケーシング１０に伝わる振動を低減させる効果が向上する。
【００５３】
また、ファン装置２８の駆動中は、吐出側空間３０内の圧力が吸込側空間２９内の圧力に比べて高くなり、リップ部６５は先端部６５ａが基端部６５ｂよりも吐出側空間３０内に入り込む方向へ傾斜しているため、リップ部６５は吐出側空間３０内の圧力によって吸込側空間２９内に向って押される。これにより、リップ部６５の先端部６５ａが壁面４１に強く押し付けられ、シール手段６３によるシール性能が増大する。
【００５４】
また、ファン装置２８の振動によりベースプレート３１が上下方向Ａに揺動しても、シール手段６３の両挟持片６７，６８が縁板部３６を上下方向Ａにおいて両側から挟んだ状態で、シール手段６３がベースプレート３１に取付けられているため、両挟持片６７，６８が縁板部３６を挟む方向とベースプレート３１が揺動する方向とは同方向となる。これにより、シール手段６３がベースプレート３１から不用意に離脱するのを確実に防止することができる。
【００５５】
このようにシール手段６３の離脱を確実に防止できるため、従来のようにシール手段に芯材を内蔵する必要はない。したがって、シール手段６３を切断する場合、シール手段６３の長手方向に対して任意の傾斜角度で切断することが容易になり、これにより、図５（ｂ）に示すように、切断されたシール手段６３の端面７１（切断面）をシール手段６３の長手方向に対して例えば４５°の角度で容易に傾斜させることができる。このため、図５（ａ）に示すように、ベースプレート３１の四隅部Ｆにおいて、リップ部６５が壁面４１のコーナー部分に当接し、リップ部６５が壁面４１に当接しない領域を無くすことができる。これにより、ベースプレート３１の四隅部Ｆにおいてもシール手段６３により気密性を保つことが可能となる。
【００５６】
また、図６に示すように、差込部７０の幅Ｅが縁板部３６の厚さＴよりも若干大きく設定されているため、ベースプレート３１の縁板部３６を差込部７０に容易に差し込むことができ、これにより、シール手段６３を容易にベースプレート３１に取付けることができる。
【００５７】
また、図４に示すように、シール手段６３がベースプレート３１に取付けられた状態では、角度θ１（図６参照）が鋭角に保たれ、下部の挟持片６８の先端部のみがベースプレート３１の本体板部３５に下方から圧接するため、縁板部３６を両挟持片６７，６８で強く挟み付けることができ、シール手段６３を強固にベースプレート３１に取付けることができる。
【００５８】
また、取付部６４はベースプレート３１と取付片６６と下部の挟持片６８とで囲まれた空隙部７２を有するようにベースプレート３１に取付けられるので、ファン装置２８の振動によりベースプレート３１が上下方向Ａに揺動したとき、下部の挟持片６８が自身の弾性や折曲部８０の拡がりにより上下方向Ａにたわむことによって、上記振動が吸収される。このため、ファン装置２８からベースプレート３１を介して空気調和機９のケーシング１０に伝わる振動がさらに低減される。また、下部の挟持片６８のたわみにより、縁板部３６の高さＨの寸法誤差を吸収することも可能である。
【００５９】
また、ベースプレート３１の縁板部３６がシール手段６３の差込部７０に差し込まれているため、ファン装置２８の振動によりベースプレート３１が水平方向に振動した場合であっても、シール手段６３が水平方向（壁面４１側）へ不用意に外れてしまうのを防止することができる。
【００６０】
尚、還気用のファン室６１のシール手段６３についても、上述した給気用のファン室６２のシール手段６３と同様の作用・効果が得られる。
また、上記第１の実施の形態では、リップ部６５の厚さを均一にしているが、第２〜第５の実施の形態では、図７（ａ）〜図７（ｄ）に示すように、リップ部６５の基端部６５ｂの厚さを分厚くし、先端部６５ａの厚さを基端部６５ｂの厚さよりも薄くしてもよい。尚、図７（ｂ）〜図７（ｄ）に示すようにリップ部６５の先端部６５ａを尖らせてもよいし、図７（ａ）に示すようにリップ部６５の先端部６５ａに丸味を持たせてもよい。また、図７（ｃ）に示すように、リップ部６５の基端部６５ｂの断面を四角形状にしてもよい。
【００６１】
また、第６の実施の形態では、図８（ａ）に示すように、下部の挟持片６８は、取付片６６に設けられて取付片６６に直交する直交部６８ａと、直交部６８ａの先端部の折曲部８０を介して設けられて斜め上向きに傾斜した傾斜部６８ｂとで構成されている。また、取付片６６に対する傾斜部６８ｂの角度θ５は、鋭角であり、上記第１の実施の形態の角度θ１（図６参照）と同じである。傾斜部６８ｂの先端（上端）がベースプレート３１の本体板部３５に圧接している。
【００６２】
また、第７の実施の形態では、図８（ｂ）に示すように、直交部６８ａと傾斜部６８ｂとの間の角度θ６が鋭角であり、下部の挟持片６８は、取付片６６と傾斜部６８ｂとの間隔が傾斜部６８ｂの先端側（上端側）ほど縮小するように、斜め上向きに傾斜している。
【００６３】
これによると、吐出側空間３０内の高圧の空気７３が取付部６４の内面と縁板部３６との間隙を通ってベースプレート３１と取付片６６と下部の挟持片６８とで囲まれた空隙部７２に流入した場合、圧力によって角度θ６が拡大する方向Ｇへ傾斜部６８ｂが押されるため、傾斜部６８ｂの先端がベースプレート３１の本体板部３５により一層強く圧接する。これにより、シール性が向上する。
【００６４】
また、第８の実施の形態では、図８（ｃ）に示すように、下部の挟持片６８は、取付片６６に設けられて取付片６６に直交する直交部６８ａと、直交部６８ａの先端部に設けられて上向きに突出した突部６８ｃとで構成されている。突部６８ｃは断面が円形状であり、突部６８ｃの先端（上端）がベースプレート３１の本体板部３５に圧接している。
【００６５】
尚、突部６８ｃの断面は円形状に限定されるものではなく、例えば、第９の実施の形態として、図８（ｄ）に示すように、三角形状にしてもよい。
上記第１の実施の形態では、図４に示すように、ベースプレート３１の縁板部３６を本体板部３５の外周縁から上向きに立ち上げ、シール手段６３の上部の挟持片６７を取付片６６に対して直交させ、下部の挟持片６８を取付片６６に対して傾斜させ、上部の挟持片６７に離脱防止片６９を設けたが、第１０の実施の形態として、図９に示すように、ベースプレート３１の縁板部３６を本体板部３５の外周縁から下向きに立ち下げ、上部の挟持片６７を取付片６６に対して傾斜させ、下部の挟持片６８を取付片６６に対して直交させ、下部の挟持片６８に離脱防止片６９を設けてもよい。
【００６６】
尚、上記のようにベースプレート３１の外周縁の形状とシール手段６３の取付部６４の形状とを上下反対にする構成は、上記第２〜第９の実施の形態にも適応できる。
次に、第１１の実施の形態を、図１０を参照して説明する。
【００６７】
ベースプレート３１は、縁板部３６を有さず、本体板部３５のみで構成されている。シール手段６３は取付部６４とリップ部６５とを有している。取付部６４は、取付片６６と、上下一対の挟持片６７，６８とを有している。両挟持片６７，６８は取付片６６に直交している。上部の挟持片６７は、先端部に、斜め下向き（すなわち下部の挟持片６８側）に傾斜した上部の傾斜部７４を有している。下部の挟持片６８は、先端部に、斜め上向き（すなわち上部の挟持片６７側）に傾斜した下部の傾斜部７５を有している。
【００６８】
シール手段６３は、両挟持片６７，６８がベースプレート３１の外周縁を上下方向Ａにおいて両側から挟み付けることにより、ベースプレート３１の外周縁に取付けられる。この際、上部および下部の傾斜部７４，７５がベースプレート３１に圧接する。
【００６９】
次に、第１２の実施の形態を図１１（ａ）を参照して説明する。
シール手段６３は、ベースプレート３１の外周縁に取付けられる平板状の取付部６４と、取付部６４よりも薄い板状のリップ部６５とを有している。尚、取付部６４は複数のねじ７７によりベースプレート３１に取付けられている。
【００７０】
上記第１２の実施の形態では、シール手段６３をベースプレート３１に取付けたが、第１３の実施の形態として、図１１（ｂ）に示すように、シール手段６３をファン室６２の壁面４１に取付けてもよい。この場合、リップ部６５の先端部がベースプレート３１の外周縁に摺接する。
【００７１】
尚、上記各実施の形態では、シール手段６３の材質にエラストマー又は樹脂を用いたが、ある程度の硬度（６０度以上）を有したゴム等の弾性材を用いてもよい。
また、上記各実施の形態では、ベースプレート３１は、複数の緩衝手段３７を介して、ファン室６２内に設置された取付架台３８に、上下方向Ａに揺動自在に取付けられていたが、ベースプレート３１を支持する形態はこれに限らず、例えば、天井から緩衝手段を有した支柱で吊り下げ支持する形態としてもよい。
【図面の簡単な説明】
【００７２】
【図１】本発明の第１の実施の形態におけるファン室を備えた空気調和機の斜視図である。
【図２】同、ファン室の縦断面図である。
【図３】図２におけるＸ−Ｘ矢視図である。
【図４】同、ファン室のベースプレートに設けられたシール手段の図であり、（ａ）はリップ部の先端部が壁面に摺接している状態を示し、（ｂ）はリップ部の先端部が壁面から離間している状態を示す。
【図５】同、ファン室のベースプレートに設けられたシール手段の図であり、（ａ）はベースプレートの四隅部の平面図、（ｂ）はシール手段の端部の平面図である。
【図６】同、ファン室のベースプレートの外周縁とシール手段との図であり、シール手段がベースプレートから取り外された状態を示す。
【図７】本発明の第２〜第５の実施の形態におけるファン室のベースプレートに設けられたシール手段の図である。
【図８】本発明の第６〜第９の実施の形態におけるファン室のベースプレートに設けられたシール手段の図である。
【図９】本発明の第１０の実施の形態におけるファン室のベースプレートに設けられたシール手段の図である。
【図１０】本発明の第１１の実施の形態におけるファン室のベースプレートに設けられたシール手段の図である。
【図１１】本発明の第１２，第１３の実施の形態におけるファン室のベースプレートに設けられたシール手段の図である。
【図１２】従来のファン室を備えた空気調和機の縦断面図である。
【図１３】同、ファン室の縦断面図であり、（ａ）は還気用のファン室、（ｂ）は給気用のファン室を示す。
【図１４】図１３（ｂ）におけるＸ−Ｘ矢視図である。
【図１５】同、ファン室のベースプレートに設けられたシール手段の図であり、（ａ）はシール部が壁面に圧接している状態を示し、（ｂ）はシール部が壁面から離間している状態を示し、（ｃ）はシール手段のみの状態を示す。
【図１６】同、ファン室のベースプレートに設けられたシール手段の図であり、（ａ）はベースプレートの四隅部の平面図、（ｂ）はシール手段の端部の平面図である。
【符号の説明】
【００７３】
９      空気調和機
２１    吸込口
２２    給気口（吐出口）
２３    通風路
２８    ファン装置
２９    吸込側空間
３０    吐出側空間
３１    ベースプレート（仕切体）
３６    縁板部（差込片）
３７    緩衝手段
４１    壁面
４２    隙間
６２    ファン室
６３    シール手段
６４    取付部
６５    リップ部
６５ａ  リップ部の先端部（室内壁面側の端部）
６５ｂ  リップ部の基端部（仕切体の外周縁側の端部）
６６    取付片
６７    上部の挟持片（他方の挟持片）
６８    下部の挟持片（一方の挟持片）
６８ｂ  傾斜部
６９    離脱防止片
７０    差込部
８０    折曲部
Ａ      上下方向（所定方向）
Ｂ      下部の挟持片の先端と上部の挟持片との上下間隔（一対の挟持片の当接部間の間隔）
Ｈ      ベースプレートの縁板部の高さ（仕切体の外周縁の高さ）
Ｗ      上部の挟持片の基端部と下部の挟持片の基端部との間隔（一対の挟持片の基端部間の間隔）
θ１    取付片と下部の挟持片との間の角度（取付片と一方の挟持片との間の角度）
【図１】
2010151400.tif 000003
【図２】
2010151400.tif 000004
【図３】
2010151400.tif 000005
【図４】
2010151400.tif 000006
【図５】
2010151400.tif 000007
【図６】
2010151400.tif 000008
【図７】
2010151400.tif 000009
【図８】
2010151400.tif 000010
【図９】
2010151400.tif 000011
【図１０】
2010151400.tif 000012
【図１１】
2010151400.tif 000013
【図１２】
2010151400.tif 000014
【図１３】
2010151400.tif 000015
【図１４】
2010151400.tif 000016
【図１５】
2010151400.tif 000017
【図１６】
2010151400.tif 000018